Podtech/llm-jp-corpus-v4-ja_patent huggingface dataset:
【手続補正書】
【提出日】平成18年11月20日(2006.11.20)
【手続補正１】
【補正対象書類名】特許請求の範囲
【補正対象項目名】全文
【補正方法】変更
【補正の内容】
【特許請求の範囲】
【請求項１】
受信アンテナによって捕捉された複数の信号から対象の画像を形成し、前記各受信アンテナの感度マップが与えられ、適用される符号化ステップの数はその完全な集合に対して減少される、磁気共鳴撮像方法であって、
前記視野は、エンコード方向上、対象の寸法よりも小さく設定され、前記受信アンテナの感度マップ及び内在折り返しアーティファクトを示す参照画像は前記ＭＲ画像を展開された画像へ再構成するのに用いられることを特徴とする、磁気共鳴撮像方法。
【請求項２】
前記展開された画像に、エッジアーティファクトを除去するエッジフィルタリングが適用されることを特徴とする、請求項１記載の方法。
【請求項３】
前記展開された画像に、リング・アーティファクトを除去するリンギングフィルタリングが適用されることを特徴とする、請求項２記載の方法。
【請求項４】
複数の信号からＭＲ画像を取得する磁気共鳴装置であって、
前記対象の一部内でスピンを励起する手段と、
複数の受信アンテナと、
読み出し傾斜磁場及び他の傾斜磁場の印加によりｋ空間内に複数のラインを含む所定の軌跡に沿ってＭＲ信号を測定し、前記位相エンコードステップの数はその完全な集合に対して減少される、手段と、
各受信アンテナの夫々に対して感度マップを与える手段と、
前記視野を前記対象寸法よりも小さく設定する手段と、
前記受信アンテナの感度マップ及び内在折り返しアーティファクトを示す参照画像を用いることにより、前記ＭＲ画像を前記測定されたＭＲ信号から折り返された画像へ再構成する手段とを有する、磁気共鳴撮像装置。
【請求項５】
磁気共鳴方法により画像を形成するようコンピュータ使用可能な媒体上に格納されたコンピュータプログラムであって、
前記コンピュータに、
磁気共鳴撮像装置が複数の信号からＭＲ画像を取得することの実行を制御させ、前記コンピュータプログラムは、
前記対象よりも小さい視野を設定し、
前記受信アンテナの感度マップ及び内在折り返しアーティファクトを示す参照画像を用いて前記ＭＲ画像を展開された画像へ再構成する
ための命令を有する、
コンピュータ読み取り可能なプログラム手段を有する、コンピュータプログラム。
【手続補正書】
【提出日】平成18年11月20日(2006.11.20)
【手続補正１】
【補正対象書類名】特許請求の範囲
【補正対象項目名】請求項７
【補正方法】変更
【補正の内容】
【請求項７】
磁気共鳴方法により画像を形成するコンピュータ利用可能な媒体上に格納されたコンピュータプログラムであって、前記コンピュータに、
参照データを用いて粗較正スキャンにより各受信アンテナに対する感度データを測定する段階と、
完全な均一性の第１の領域と、適度な均一性の第２の領域と、完全な不均一性の第３の領域との中で主磁場の均一性を特定し、前記受信アンテナの配列の感度データは、粗較正スキャンによって測定される、段階と、
当の位置の近傍での前記測定された値の重み付けされた加算によって前記第２の領域中の位置からコイル感度を推定値を求める段階と、
前記第３の領域の中の感度データをゼロに設定する段階と、
の実行を制御させるコンピュータ読み取り可能なプログラム手段を含む、コンピュータプログラム。
【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
生物剤に対する保護衣類として好適であり、液体の浸透及び微生物の侵入に対する非常にレベルの高い保護を行うことができ、機械的抵抗性を示すとともに、卓越した柔軟性およびドレープ性を備え、着心地が良い、新規ガウン、上着、及びズボンであって、
その生地は、不織ポリプロピレンの内側の層とポリエチレンフィルムの外側の層との積層によって製造されており、
上記ポリプロピレンと上記ポリエチレンとの単位重量の比率が、７０：３０〜５０：５０の範囲であることを特徴とする新規ガウン、上着、及びズボン。
【請求項２】
上記ポリプロピレンとポリエチレンとの単位重量の比率は、６５：３５〜５５：４５の範囲であることを特徴とする請求項１に記載の新規ガウン、上着、及びズボン。
【請求項３】
上記生地の厚さが２７０〜３４０μであり、上記生地の単位重量が５５〜７５ｇ／ｍ２であることを特徴とする請求項１に記載の新規ガウン、上着、及びズボン。
【請求項４】
上記不織ポリプロピレン層の内側の層は、厚さが２４０〜２７０μで、且つ単位重量が３５〜４５ｇ／ｍ２であり、
上記外側のポリエチレンフィルムは、厚さが３０〜７０μで、且つ単位重量が２０〜３０ｇ／ｍ２であることを特徴とする請求項１に記載の新規ガウン、上着、及びズボン。
【請求項５】
上記生地の厚さが２８５〜３１５μであり、上記生地の単位重量が６０．０〜６７．５ｇ／ｍ２であることを特徴とする請求項１に記載の新規ガウン、上着、及びズボン。
【請求項６】
上記不織ポリプロピレン層の内側の層は、厚さが２４５〜２５５μであり、且つ単位重量が３７．５〜４０．０ｇ／ｍ２であり、
上記外側のポリエチレンフィルムは、厚さが４０〜６０μであり、且つ単位重量が２２．５〜２７．５ｇ／ｍ２であることを特徴とする請求項１に記載の新規ガウン、上着、及びズボン。
【請求項７】
結合部が熱溶接で継がれたものであることを特徴とする請求項１に記載の新規ガウン、上着、及びズボン。
【請求項８】
感染、アレルギー、及び毒性を引き起こしかねない、遺伝子組み換え体、細胞培養物、及びヒト内部寄生生物を含む微生物（バクテリア、寄生生物、菌類、及びウイルス）である生物剤に対する保護衣類としての請求項１に記載のガウン、上着、及びズボンの使用方法。
【請求項９】
上記生物剤は、血液及び体液により伝染する微生物（ＨＢＶ、ＨＣＶ、及びＨＩＶ）であることを特徴とする請求項８に記載のガウン、上着、及びズボンの使用方法。
【請求項１０】
上記生物剤は、ＢＳＥ、他のＴＳＥの原因物質であることを特徴とする請求項８に記載のガウン、上着、及びズボンの使用方法。
【請求項１１】
上記生物剤は、バシルス・アントラシス菌であることを特徴とする請求項８に記載のガウン、上着、及びズボンの使用方法。
【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
既知の酸素活量を持ち、測定装置と電導的な接続（３）にある基準物質（２）を含み、
かつ高温度において主に酸素イオン伝導性であり、かつ無視できる程度に電子伝導性であって、基準物質（２）を金属溶融物から分離し、そして酸素イオン用の、金属溶融物と接触する入口表面（４）を有するところの固体電解質を含み、
実施の準備が整ったプローブの入口表面（４）が、該入口表面（４）と密に接触しておりかつその延長部にわたって入口表面（４）に対して外側から機械的手段により押圧されている機能性の箔配設（１０、２０）で覆われている、
金属溶融物の、特に鋼鉄溶融物の酸素活量の測定用のプローブ（１００、２００、３００、４００、５００、６００）。
【請求項２】
箔配設（１０、２０）が、浸漬の間に溶融物中に引き込まれる酸素によって酸化されることができる、少なくとも１葉の箔（６）を含む、請求項１に従うプローブ。
【請求項３】
箔（６）がアルミニウム、チタン、スズまたはマグネシウム材料の群の少なくとも１から作られる、請求項２に従うプローブ。
【請求項４】
第１の箔をその内側または外側で少なくとも部分的に覆っている、少なくとも１葉の第２の箔（９）を箔配設（２０）が含む、請求項１〜３のいずれか１項に従うプローブ。
【請求項５】
第２の箔の材料が、金属溶融物との接触によって溶融する時に、固体電解質（１１）の挿入表面（４）の濡れ性を高める、請求項４に従うプローブ。
【請求項６】
第２の箔（９）が銅材料からなる、請求項５に従うプローブ。
【請求項７】
固体電解質が耐火性小管（１）の端部に、本質的に平らに形成された前面壁を有する部材の形状で配備され、そして箔配設（１０、２０）が当該端壁の前に延びている、請求項１〜６のいずれか１項に従うプローブ。
【請求項８】
固体電解質が担体ピン上の、または担体小管上のコーティングの形状で配備され、そして箔配設（１０、２０）が固体電解質の外周面を完全にかつ緊密に囲包する、請求項１〜６のいずれか１項に従うプローブ。
【請求項９】
金属溶融物中に浸漬される、そして浸漬されるべき一端で閉じられている小管（１）の形状で固体電解質が配備されており、そして基準物質（２）が該小管の内部に置かれ、そして箔配設（１０、２０）が小管（１）の外周面を完全にかつ緊密に囲包する、請求項１〜７のいずれか１項に従うプローブ。
【請求項１０】
入口表面（４）と箔配設（１０、２０）の間に置かれ、そして金属溶融物に接触した時に崩壊する結合剤を当該手段が含む、請求項９に従うプローブ。
【請求項１１】
当該手段が箔配設（１０、２０）を入口表面（４）に向けて弾性的に圧縮する、請求項９に従うプローブ。
【請求項１２】
当該手段が、固体電解質を構成する小管（１）の外周面上で箔配設（１０、２０）を緊密に囲包するエラストマーのホース（８，１８）を含む、請求項１１に従うプローブ。
【請求項１３】
ホース（８，１８）が、小管（１）を囲包する箔配設（１０、２０）よりも大きい直径を初めに持ち、そしてホースが箔配設（１０、２０）の上に長さ方向に置かれた後にその放射直径方向に収縮することができることを特徴とする、請求項１２に従うプローブ。
【請求項１４】
ホース（８，１８）が熱作動の形状記憶を持つ材料から作られる、請求項１３に従うプローブ。
【請求項１５】
プローブが、既知の酸素活量の、測定装置と電導的な接続（３）にある基準物質（２）を含み、そして高温度において主に酸素イオン伝導性であり、かつ無視できる程度に電子伝導性である固体電解質を含み、そして金属溶融物に浸漬されるべく意図され、そして、酸素イオン用の入口表面を有し、ここで入口表面（４）は機能性箔配設（１０、２０）によって緊密に覆われており、ここで入口表面（４）上の箔配設（１０、２０）の上にエラストマーのホース（８、１８）が長さ方向に置かれ、そして次いでホース（８、１８）が箔配設（１０、２０）上に向かって収縮されて半径方向の張力を生じて、箔配設（１０、２０）と入口表面（４）の間の密な接触をもたらす、金属溶融物の、特に鋼鉄溶融物の酸素活量の測定用のプローブ（１００、２００、３００、４００、５００、６００）の製造方法。
【請求項１６】
ホース（８、１８）が熱作動の形状記憶性材料から作られ、ホース（８、１８）が配置された時に加熱される、請求項１５に従う方法。
【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
活性成分として、４−ピリジルメチルフタラジン誘導体を含む、温血動物における中皮腫を処置するための薬剤。
【請求項２】
活性成分として、式Ｉ
【化１】
2006507319.tif 000001
〔式中
ｒは０〜２であり、
ｎは０〜２であり、
ｍは０〜４であり、
Ｒ１およびＲ２は、
（ｉ）低級アルキルもしくは、
（ｉｉ）一緒になって、部分式Ｉ＊
【化２】
2006507319.tif 000002
［結合は二つの末端炭素原子を介して達成される］
の架橋を形成するかまたは、
（ｉｉｉ）一緒になって部分式Ｉ＊＊
【化３】
2006507319.tif 000003
［式中、環の構成員Ｔ１、Ｔ２、Ｔ３およびＴ４の１または２つは窒素であり、そして残りのものはそれぞれの場合においてＣＨであり、そして結合はＴ１およびＴ４を介して達成される］
の架橋を形成し；
Ａ、Ｂ、Ｄ、およびＥは互いに独立してＮまたはＣＨであり、ただしこれらの基のうち２つ以下がＮであり；
Ｇは低級アルキレン、アシルオキシまたはヒドロキシに置換された低級アルキレン、−ＣＨ２−Ｏ−、−ＣＨ２−Ｓ−、−ＣＨ２−ＮＨ−、オキサ（−Ｏ−）、チア（−Ｓ−）、もしくはイミノ（−ＮＨ−）であり；
Ｑは低級アルキルであり；
ＲはＨまたは低級アルキルであり；
Ｘはイミノ、オキサ、またはチアであり；
Ｙは置換または非置換アリール、ピリジル、もしくは置換または非置換シクロアルキルであり；そして
Ｚはアミノ、１または２置換のアミノ、ハロゲン、アルキル、置換アルキル、ヒドロキシ、エーテル化またはエステル化ヒドロキシ、ニトロ、シアノ、カルボキシ、エステル化カルボキシ、アルカノイル、カルバモイル、Ｎ−モノもしくはＮ，Ｎ−ジ置換カルバモイル、アミジノ、グアニジノ、メルカプト、スルホ、フェニルチオ、フェニル−低級アルキルチオ、アルキルフェニルチオ、フェニルスルホニル、フェニル−低級アルキルスルフィニルまたはアルキルフェニルスルフィニルであり、１をこえるＺ基が存在する場合には、置換基Ｚは互いに独立して同じかまたは異なるものであり；
および式中波線により特徴づけられる結合は、存在するならば、単結合または二重結合のいずれかである。〕
で示される４−ピリジルメチルフタラジン誘導体、または、１つまたはそれ以上の窒素原子が酸素原子を担持する上記化合物のＮ−オキシド、もしくは少なくとも１つの塩形成基を有する上記化合物の塩を含む、請求項１に記載の薬剤。
【請求項３】
式Ｉで示す４―ピリジルメチル−フタラジン誘導体が１−（４−クロロアニリノ）−４−（４−ピリジルメチル）フタラジンである、請求項２に記載の薬剤。
【請求項４】
該疾患が胸膜中皮腫、腹膜中皮腫、心膜中皮腫、上皮性中皮腫、肉腫性中皮腫および二相性中皮腫から選択される、請求項１ないし３のいずれに記載の薬剤。
【請求項５】
温血動物がヒトである、請求項１ないし４のいずれかに記載の薬剤。
【請求項６】
１−（４−クロロアニリノ）−４−（４−ピリジルメチル）フタラジンまたはその薬学的に許容される塩を、患者に１日に１回の用法で、１０００ｍｇ／日から１４００ｍｇ／日の範囲の用量で投与することを含む、請求項５に記載の薬剤。
【請求項７】
１日に１回の投与量が１２００ｍｇ／日から１３００ｍｇ／日である、請求項６に記載の薬剤。
【請求項８】
１日に１回の投与量が１２５０ｍｇ／日である、請求項６に記載の薬剤。
【請求項９】
外科手術および／または放射線療法との組み合わせにおいて、中皮腫に対して使用するための、活性成分として４―ピリジルメチル−フタラジン誘導体、または、１つまたはそれ以上の窒素原子が酸素原子を担持する上記化合物のＮ−オキシド、もしくは少なくとも１つの塩形成基を有する上記化合物の塩を含む、温血動物における中皮腫を処置するための薬剤。
【請求項１０】
４―ピリジルメチル−フタラジン誘導体とともに、中皮腫の処置におけるその使用のための指示書を含む、商品パッケージ。
【請求項１１】
中皮腫の処置のための医薬製造における４―ピリジルメチル−フタラジン誘導体の使用。
【請求項１２】
４―ピリジルメチル−フタラジン誘導体が１−（４−クロロアニリノ）−４−（４−ピリジルメチル）フタラジン、もしくは遊離形または薬学的に許容される塩形の１−（４−クロロアニリノ）−４−（４−ピリジルメチル）フタラジンである、請求項１１に記載の使用。
【請求項１３】
薬学的に許容される塩が４―ピリジルメチル−フタラジン誘導体のコハク酸塩である、請求項１２に記載の使用。
【手続補正書】
【提出日】平成18年12月26日(2006.12.26)
【手続補正１】
【補正対象書類名】特許請求の範囲
【補正対象項目名】請求項１７
【補正方法】変更
【補正の内容】
【請求項１７】
前記移送機構を調節するための制御装置であって、前記混合容器を出る反応生成物が４〜１１のｐＨを有するように酸性液体と塩基性液体の相対的な流れを調節するよう構成された制御装置をさらに含む、請求項１に記載の装置。
【手続補正２】
【補正対象書類名】特許請求の範囲
【補正対象項目名】請求項３４
【補正方法】変更
【補正の内容】
【請求項３４】
前記移送機構を調節するための制御装置であって、前記混合手段を出る反応生成物が４〜１１のｐＨを有するように酸性液体と塩基性液体の相対的な流れを調節するよう構成された制御装置をさらに含む、請求項２６に記載の装置。
【手続補正書】
【提出日】平成18年11月20日(2006.11.20)
【手続補正１】
【補正対象書類名】明細書
【補正対象項目名】０００３
【補正方法】変更
【補正の内容】
【０００３】
マイクロチャネルプレートは、多数のガラス繊維の融合体から形成され、各々は酸エッチング可能なコアおよび耐酸性クラッドを有する。融合体は、中実のロッドまたはボールを形成する。個々のプレートは、ボールから横軸方向にスライスされ、研磨され、そして、化学的にエッチングされる。ＭＣＰはまず、酸エッチング可能なコアロッドを取り除く（脱コアする（ｄｅｃｏｒｅ））塩酸浴に供され、その後、クラッドから移動性のアルカリ金属イオンを取り除く水酸化ナトリウムの温浴に供される。次いで、ＭＣＰは還元性大気中で活性化され、イメージ管内に挿入するために調製される。
【手続補正２】
【補正対象書類名】明細書
【補正対象項目名】０００６
【補正方法】変更
【補正の内容】
【０００６】
陰極以外の種々の供給源からの散在した電子（これは、入力画像と対応しない）はまた、マイクロチャネルプレートに入り、増幅され得る。このような偽性電子についての増幅因子は、画像電子についての増幅因子と同じであり、画像における光のちらつき点として現れる、画像ノイズを生じる。
【手続補正３】
【補正対象書類名】明細書
【補正対象項目名】００１２
【補正方法】変更
【補正の内容】
【００１２】
図２に最良に示されるように、チャネル壁１９は、入力側面１２（出力側面１４は示さず）において、各マイクロチャネル１６の長手軸の中心から分岐する部分または領域を備え、漏斗状の開口部を形成する。従って、示されるように、漏斗状の開口部１８は、入力側面において、ＭＣＰ１０のより深いところにあるマイクロチャネル１６の別の部分よりも直径が長い。漏斗の壁の分岐は、一般に、ＭＣＰ表面からの１つのチャネルの直径内で生じる。
【手続補正４】
【補正対象書類名】明細書
【補正対象項目名】００２３
【補正方法】変更
【補正の内容】
【００２３】
（発明の詳細な説明）
本発明に従って、深型漏斗状の開口部および／または階段状漏斗状の開口部を有するマイクロチャネルプレート（ＭＣＰ）は、ＭＣＰの入力側面または出力側面において曝露されたマイクロチャネルの金属化により生じる不利益を克服する。漏斗をＭＣＰマイクロチャネル内へとより深く（または、入力／出力側面からさらに遠くへ）移動することによって、ＭＣＰの性能が増強され、いかなる任意の金属化プロセスによっても分解されない。入射電子は、同じ直径の完全に真っ直ぐなチャネル内にあり得るので、深型漏斗チャネル内の金属コーティングに遭遇する可能性が低くなる。
【手続補正５】
【補正対象書類名】明細書
【補正対象項目名】００３０
【補正方法】変更
【補正の内容】
【００３０】
図３Ａは、本発明の実施形態に従う、深型漏斗を備えるＭＣＰ３０を示す。示されるように、ＭＣＰ３０は、管壁３４を有するマイクロチャネル３７を備える。ＭＣＰ３０の入力側面において、壁３４は、上側の真っ直ぐな壁領域または部分４２（第１の部分）、漏斗状の領域または部分４１（第２の部分）および下側の真っ直ぐな壁領域または部分４５（第３の部分）を備える。マイクロチャネル３７は、基本的な漏斗の有効直径よりも広い有効直径（例えば、１．２０９２Ｄ）を有する。示され得るように、深型漏斗チャネルの有効直径は、同じ物理学的チャネルの開口部サイズについての基本的な漏斗よりも広い。上側の真っ直ぐな壁領域４２上に堆積され得る金属化カバレッジ３３（点線）がまた示される。
【手続補正６】
【補正対象書類名】明細書
【補正対象項目名】００３２
【補正方法】変更
【補正の内容】
【００３２】
上側の、真っ直ぐな壁部分は、マイクロチャネル内へとチャネル直径の１〜１０倍延びる。この部分は、その上に金属が堆積されている（３３に示すように）。この部分の深さは、加工時間に基づいて選択され得る。
【手続補正７】
【補正対象書類名】明細書
【補正対象項目名】００４０
【補正方法】変更
【補正の内容】
【００４０】
コアロッドは、１つの末端（または両方の末端）においてゆっくりと溶解され始める。ＭＣＰは、任意の時点でこの溶液から取り出され、リンスされて、任意の所望の量のコアロッドが残った状態で、エッチング反応を停止し得る。このような部分的な脱コアの後に、水酸化ナトリウムは、コアロッドが除かれたチャネルのいずれの場所においても界面物質を除去し、かつ、基本的な漏斗と同じ様式で、コアロッドをわずかに過ぎてエッチングする。壁を除去する量は、ＮａＯＨへの露出時間、ならびに、その濃度、温度および流速に依存する。全ての残存するコアロッドの除去後、得られた幾何学が深型漏斗である。
【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
熱陰極と陽極とを有するＸ線管と、
前記陽極に少なくとも１つのＸ線パルスを発生させる少なくとも１つの高電圧パルスを印加するマルクス発生器と、せいぜい低エネルギーのＸ線放射を発生させる程度の、前記Ｘ線管を予熱する低電圧を前記陽極に永続的に印加するシマー電源装置と、
を備えた少なくとも１つのＸ線パルスを発生するＸ線装置において、
前記シマー電源装置は、前記マルクス発生器の電源であることを特徴とするＸ線装置。
【請求項２】
熱陰極と陽極とを有するＸ線管と、
前記陽極に少なくとも１つのＸ線パルスを発生させる少なくとも１つの高電圧パルスを印加するマルクス発生器と、前記Ｘ線管を予熱し、せいぜい低エネルギーのＸ線放射を発生させる程度の低電圧を前記陽極に永続的に印加するシマー電源装置と、
少なくとも１つのＸ線パルスによって、物体の像を生成する撮像装置と、
を備えたことを特徴とする物体検査装置。
【請求項３】
Ｘ線パルスを発生する方法であって、
熱陰極と陽極とを有するＸ線管とを準備する工程と、
前記Ｘ線管に、せいぜい低エネルギーのＸ線放射を発生させる程度の低電圧を永続的に印加して、前記Ｘ線管を予熱する工程と、
少なくとも１つの高電圧パルスを発生する工程と、
少なくとも１つのＸ線パルスを発生すべく、前記少なくとも１つの高電圧パルスを前記陽極に印加する工程と、
を含むことを特徴とする方法。
【請求項４】
前記少なくとも１つの高電圧パルスは、マルクス発生器で発生されることを特徴とする請求項３に記載の方法。
【請求項５】
第１の回路が少なくとも１つの高電圧パルスを発生し、さらに前記Ｘ線管が、前記第１の回路の電源である第２の回路に予熱されることを特徴とする請求項３に記載の方法。
【請求項６】
物体を検査する方法であって、
熱陰極と陽極とを有するＸ線管を準備する工程と、
前記Ｘ線管に、せいぜい低エネルギーのＸ線放射を発生させる程度の低電圧を永続的に印加して、前記Ｘ線管を予熱する工程と、
少なくとも１つの高電圧パルスを発生する工程と、
少なくとも１つのＸ線パルスを発生すべく、前記少なくとも１つの高電圧パルスを前記陽極に印加する工程と、
前記少なくとも１つのＸ線パルスが物体を通過する工程と、
前記物体を通過した前記少なくとも１つのＸ線パルスが像を生成する工程と、
を含むことを特徴とする方法。
【請求項７】
前記少なくとも１つの高電圧パルスは、マルクス発生器で発生されることを特徴とする請求項６に記載の方法。
【請求項８】
第１の回路が少なくとも１つの高電圧パルスを発生し、さらに前記Ｘ線管が、前記第１の回路の電源である第２の回路に予熱されることを特徴とする請求項６に記載の方法。
【請求項９】
搬送のほぼ水平面上で前記物体を搬送する工程と、
前記物体を、前記少なくとも１つのＸ線パルスを通過して移動させる工程と、
をさらに含むことを特徴とする請求項６に記載の方法。
【請求項１０】
前記物体は、搬送のほぼ水平面上で一列に並んで連続して個別に搬送されるコンテナの１つであることを特徴とする請求項６に記載の方法。
【請求項１１】
前記物体を通過する前記少なくとも１つのＸ線パルスが、Ｘ線イメージコンバータに照射され、そこでデジタルカメラによって記録される像が生成されることを特徴とする請求項６に記載の方法。
【手続補正２】
【補正対象書類名】明細書
【補正対象項目名】０００３
【補正方法】変更
【補正の内容】
【０００３】
短Ｘ線パルスを発生するためのＸ線装置は、特許文献１〜３などで知られている。これらの装置は、数ナノ秒間持続する極短Ｘ線パルスを発生するように機能する。極短パルスの持続時間内に高電圧エネルギーを陽極に伝達することができるように、特別に開発されたコンデンサが高電圧パルス発生のために使用される。
【手続補正３】
【補正対象書類名】明細書
【補正対象項目名】００１０
【補正方法】変更
【補正の内容】
【００１０】
ここで、「低電圧」とは、その電圧でＸ線放射が発生したとしても低エネルギーであり、Ｘ線管のガラス壁によって吸収されてしまうような高電圧を意味する。この低電圧は永続的に陽極に印加されるため、実質的にＸ線は放射されないが、Ｘ線管が常時予熱されることにより迅速にＸ線管を作動させ、短Ｘ線パルスを発生させることができる。
【手続補正４】
【補正対象書類名】明細書
【補正対象項目名】００１９
【補正方法】変更
【補正の内容】
【００１９】
Ｘ線管１０は、シマー電源装置２６によりシマーモードで動作し、このシマー電源装置２６は、約５ｋＶの電圧を発生し、約１ｍＡ〜１０ｍＡの直流電流をＸ線管１０に永続的に流すことが可能である。これによって、Ｘ線管１０は、直ちに作動する状態まで予熱され、高圧スイッチ１８が閉じられるとすぐにＸ線３０を発生する。シマー電源装置２６は、保護ダイオード２４によって、コンデンサ２０の高電圧から保護される。
【手続補正５】
【補正対象書類名】明細書
【補正対象項目名】００２０
【補正方法】変更
【補正の内容】
【００２０】
高圧電源２２、高圧コンデンサ２０、および高圧スイッチ１８の代わりに、図２に示すようなマルクス発生器を用いることができる。このマルクス発生器は、パルス状の高電圧を生成することができる電圧増倍装置である。抵抗器３４を介して並列接続されるｎ個のコンデンサ３３が、電圧源３２を介して充電される。高電圧パルスをトリガーするために、コンデンサ３３が電子スイッチ３６を介して直列接続され、次いで、ｎ倍のコンデンサ電圧が出力３８に印加される。
【手続補正６】
【補正対象書類名】明細書
【補正対象項目名】００２１
【補正方法】変更
【補正の内容】
【００２１】
例えば、５ｋＶの電圧源３２および並列接続された１２個のコンデンサ３３を使用した場合、発生する高電圧パルスは６０ｋＶである。それゆえ、この実施例においては、シマー電源装置２６を電圧源３２として用いることができる。
【手続補正書】
【提出日】平成19年7月13日(2007.7.13)
【手続補正１】
【補正対象書類名】特許請求の範囲
【補正対象項目名】全文
【補正方法】変更
【補正の内容】
【特許請求の範囲】
【請求項１】
直交アミノアシルｔＲＮＡシンテターゼ（Ｏ−ＲＳ）を含む組成物であって、Ｏ−ＲＳがｐ−アセチル−Ｌ−フェニルアラニンとＯ−ｔＲＮＡと配列番号１８〜２０から選択されたアミノ酸配列を含むポリペプチドとを含む翻訳系の効率の少なくとも５０％の効率でＯ−ｔＲＮＡをｐ−アセチル−Ｌ−フェニルアラニンで優先的にアミノアシル化する前記組成物。
【請求項２】
Ｏ−ＲＳが配列番号１８〜２０のいずれか１種又はその保存変異体を含むアミノ酸配列を含む請求項１に記載の組成物。
【請求項３】
Ｏ−ＲＳがＭｅｔｈａｎｏｃｏｃｃｕｓ  ｊａｎｎａｓｃｈｉｉに由来する請求項１に記載の組成物。
【請求項４】
前記Ｏ−ＲＳを含む細胞を含む請求項１に記載の組成物。
【請求項５】
細胞が大腸菌細胞である請求項４に記載の組成物。
【請求項６】
翻訳系を含む請求項１に記載の組成物。
【請求項７】
前記Ｏ−ｔＲＮＡを更に含む請求項１に記載の組成物。
【請求項８】
Ｏ−ｔＲＮＡが配列番号２１のポリヌクレオチド配列を含むか又はこれによりコードされる請求項７に記載の組成物。
【請求項９】
翻訳系を含む細胞であって、翻訳系が
直交ｔＲＮＡ（Ｏ−ｔＲＮＡ）と；
直交アミノアシルｔＲＮＡシンテターゼ（Ｏ−ＲＳ）と；
ｐ−アセチル−Ｌ−フェニルアラニンを含み；
Ｏ−ＲＳがｐ−アセチル−Ｌ−フェニルアラニンと前記Ｏ−ｔＲＮＡと配列番号１８〜２０から選択されたアミノ酸配列を含むポリペプチドとを含む翻訳系の効率の少なくとも５０％の効率でＯ−ｔＲＮＡをｐ−アセチル−Ｌ−フェニルアラニンで優先的にアミノアシル化する前記細胞。
【請求項１０】
Ｏ−ｔＲＮＡが配列番号２１に記載のポリヌクレオチド配列又はその相補的ポリヌクレオチド配列を含むか又はこれによりコードされ、Ｏ−ＲＳが配列番号１８〜２０のいずれか１種又はその保存変異体を含むアミノ酸配列を含む請求項９に記載の細胞。
【請求項１１】
細胞が非真核細胞である請求項９に記載の細胞。
【請求項１２】
非真核細胞が大腸菌細胞である請求項１１に記載の細胞。
【請求項１３】
該当ポリペプチドをコードするポリヌクレオチドを含む核酸を更に含み、ポリヌクレオチドがＯ−ｔＲＮＡにより認識される少なくとも１つのセレクターコドンを含む請求項９に記載の細胞。
【請求項１４】
直交ｔＲＮＡ（Ｏ−ｔＲＮＡ）と；
ｐ−アセチル−Ｌ−フェニルアラニンと前記Ｏ−ｔＲＮＡと配列番号１８〜２０から選択されたアミノ酸配列を含むポリペプチドとを含む翻訳系の効率の少なくとも５０％の効率でＯ−ｔＲＮＡをｐ−アセチル−Ｌ−フェニルアラニンで優先的にアミノアシル化する直交アミノアシルｔＲＮＡシンテターゼ（Ｏ−ＲＳ）と；
ｐ−アセチル−Ｌ−フェニルアラニンと；
該当ポリペプチドをコードし、Ｏ−ｔＲＮＡにより認識される少なくとも１つのセレクターコドンを含むポリヌクレオチドを含む核酸を含む大腸菌細胞。
【請求項１５】
Ｏ−ｔＲＮＡが配列番号２１に記載のポリヌクレオチド配列又はその相補的ポリヌクレオチド配列を含むか又はこれによりコードされ、Ｏ−ＲＳが配列番号１８〜２０のいずれか１種又はその保存変異体を含むアミノ酸配列を含む請求項１４に記載の細胞。
【請求項１６】
配列番号１８〜２０のいずれか１種を含む人工ポリペプチド。
【請求項１７】
請求項１６に記載のポリペプチドをコードする人工ポリヌクレオチド。
【請求項１８】
請求項１７に記載のポリヌクレオチドを含むか又はこれをコードするベクター。
【請求項１９】
ベクターがプラスミド、コスミド、ファージ、又はウイルスを含む請求項１８に記載のベクター。
【請求項２０】
ベクターが発現ベクターである請求項１８に記載のベクター。
【請求項２１】
請求項１８に記載のベクターを含む細胞。
【請求項２２】
特定位置にｐ−アセチル−Ｌ−フェニルアラニンを組込んだ該当蛋白質を細胞で生産する方法であって、
少なくとも１個のセレクターコドンを所定位置に含み、該当蛋白質をコードする核酸を導入した細胞を適当な培地で増殖させる段階と；
適当な培地にｐ−アセチル−Ｌ−フェニルアラニンを提供する段階を含み；
細胞が更に、
細胞で機能し、セレクターコドンを認識する直交ｔＲＮＡ（Ｏ−ｔＲＮＡ）と；
ｐ−アセチル−Ｌ−フェニルアラニンと前記Ｏ−ｔＲＮＡと配列番号１８〜２０から選択されたアミノ酸配列を含むポリペプチドとを含む翻訳系の効率の少なくとも５０％の効率でＯ−ｔＲＮＡをｐ−アセチル−Ｌ−フェニルアラニンで優先的にアミノアシル化する直交アミノアシルｔＲＮＡシンテターゼ（Ｏ−ＲＳ）を含み；
更に前記核酸中の前記少なくとも１個のセレクターコドンの所定位置が前記該当蛋白質中のｐ−アセチル−Ｌ−フェニルアラニンの前記特定位置に対応するよう該当蛋白質の翻訳中に該当蛋白質の特定位置にｐ−アセチル−Ｌ−フェニルアラニンを組込むことにより、特定位置にｐ−アセチル−Ｌ−フェニルアラニンを組込んだ該当蛋白質を生産する段階を含む前記方法。
【請求項２３】
Ｏ−ＲＳが配列番号１８〜２０のいずれか１種又はその保存変異体を含むアミノ酸配列を含む請求項２２に記載の方法。
【請求項２４】
Ｏ−ｔＲＮＡが配列番号２１に記載のポリヌクレオチド配列又はその相補的ポリヌクレオチド配列を含むか又はこれによりコードされる請求項２２に記載の方法。
【請求項２５】
細胞が非真核細胞である請求項２２に記載の方法。
【請求項２６】
非真核細胞が大腸菌細胞である請求項２５に記載の方法。
【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
電子データ管理システムであって、
ａ．患者からデータを探知するよう設計されたセンシングモジュールと、
ｂ．前記センシングモジュールに接続されたデータ管理モジュールと、
ｃ．前記データ管理モジュールに接続された分析モジュールと、
ｄ．前記センシングモジュール、前記データ管理モジュール、前記分析モジュールのうちの少なくとも１つに接続された通信モジュールと、から成り、
前記センシングモジュールは、生理学的データを探知する少なくとも１つの移植可能生理学的センサを含む移植可能生理学的医科装置から成り、
前記データ管理モジュールは、前記移植可能生理学的センサからの生理学的データ及び患者母集団からの患者母集団データを含むデータをアーカイブし、格納するよう設計されており、
前記分析モジュールは、患者のおよその健康を評価するためデータ分析するよう設計されており、
前記通信モジュールは、前記患者健康評価、前記分析データ、前記探知データの少なくとも１つを伝達するよう設計されている、
ことを特徴とする電子データ管理システム。
【請求項２】
前記分析モジュールは、病態進行の時間従属的次元を捕捉するよう設計されたニューラルネットワークから成る、請求項１に記載の電子データ管理システム。
【請求項３】
前記ニューラルネットワークは、ニューラルネットワーク知識アップグレードとして配布可能な新規ニューラルネットワーク係数を生成するよう設計されている、請求項２に記載の電子データ管理システム。
【請求項４】
前記新規ニューラルネットワーク係数を生成するための学習を提供するため、意図した結果に対して臨床結果を分析するよう設計されている、請求項３に記載の電子データ管理システム。
【請求項５】
前記分析モジュールは、前記データ管理モジュールからリトリーブした患者母集団データを参照して前記データ管理モジュールからリトリーブした採点済患者データを提供するようなされている、請求項１に記載の電子データ管理システム。
【請求項６】
前記採点済患者データは、患者の健康に係る多次元評価を提供する、請求項５に記載の電子データ管理システム。
【請求項７】
前記採点済患者データは、病気の傾向予測を提供する、請求項５に記載の電子データ管理システム。
【請求項８】
前記採点済患者データは、信頼度を伴う、請求項４に記載の電子データ管理システム。
【請求項９】
前記通信モジュールは、前記分析データに基づいて介入の緊急性を伝達するようなされている、請求項１に記載の電子データ管理システム。
【請求項１０】
前記データ管理モジュールは、少なくとも１つの外部装置又は診療記録から得た外部データを格納するようなされている、請求項１に記載の電子データ管理システム。
【手続補正書】
【提出日】平成18年11月27日(2006.11.27)
【手続補正１】
【補正対象書類名】明細書
【補正対象項目名】００１３
【補正方法】変更
【補正の内容】
【００１３】
第一及び第二のパートは両パートの分離を妨げるために固定されている。このことは、製造、梱包、そしてカテーテルの使用をより容易にする。両パートは接着剤によって結合される、或いは、それらは一つのシングル構成要素として製造されることができる、例えば、圧力成形工程において成形されることができる。軟らかさ及び/又は硬さに向けて異なった特性を備えた材料で作られることができる。挿入可能部分は、男性使用者の曲がった泌尿器管の中への容易な挿入を許容するように軟質のポリマー材料から作られ、或いは、それは、女性使用者のほとんど真直ぐな泌尿器管の中へのより容易な挿入を許容するように硬質のポリマー材料から作られる。挿入可能部分は、さらに、低摩擦性表面を有する、例えば、低摩擦性材料によって提供されることにより、或いは、挿入可能部分を被覆するコーティングによって提供されることにより、例えば、親水性のコーティング、或いはゲルのコーティング、或いは類似の滑らかな物質によって。ハンドル部分は、そうではなく、高摩擦性の材料で作られ、或いはそれは使用者の指の間でのスライドを防ぐようにコーティングしている表面を有し、或いはそれはよりよいグリップを助長するパターンの表面を有しているかもしれない。ハンドル部分は、カテーテルの挿入可能部分に比較して硬質である材料から作られることができる。
【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
ヒト又はヒト以外の動物の身体に侵襲型装置を挿入して少なくとも該装置を含む身体部分のＭＲ画像を形成して該装置を視覚化する診断、手術又は治療の方法に用いられるＭＲ造影剤の製造における、磁場強度０．００１〜５Ｔ及び温度２０〜４０℃で５秒以上のＴ１値を有するとともに19Ｆ、6Ｌｉ、13Ｃ、15Ｎ、29Ｓｉ、31Ｐ、77Ｓｅ、111Ｃｄ、113Ｃｄ、115Ｓｎ、117Ｓｎ、119Ｓｎ、123Ｔｅ、125Ｔｅ、171Ｙｂ、195Ｐｔ、199Ｈｇ、203Ｔｌ、205Ｔｌ及び207Ｐｂからなる群から選択される核を含んでなる高Ｔ１剤の過分極固体又は溶液の使用。
【請求項２】
前記高ＴＩ剤が13Ｃ核、15Ｎ核、19Ｆ核、29Ｓｉ核及び31Ｐ核からなる群から選択される核らなる群から選択される核を含んでなる、請求項１記載の使用。
【請求項３】
前記高ＴＩ剤が13Ｃ核及び15Ｎ核からなる群から選択される核を含んでなる、請求項１又は請求項２記載の使用。
【請求項４】
前記高ＴＩ剤が、磁場強度０．００１〜５Ｔ及び温度２０〜４０℃で１０秒以上のＴ１値を有し、好ましくは３０秒以上、さらに好ましくは６０秒以上、最も好ましくは１００秒を超えるＴ１値を有する、請求項１乃至請求項３のいずれか１項記載の使用。
【請求項５】
前記侵襲型装置が造影剤を保持するキャビティを含んでおり、該キャビティには好ましくは造影剤の循環及び添加を容易にする外部ダクトが取り付けられる、請求項１乃至請求項４のいずれか１項記載の使用。
【請求項６】
前記侵襲型装置が、炭素繊維を含有する中間導電性材料で製造される、請求項１乃至請求項５のいずれか１項記載の使用。
【請求項７】
前記侵襲型装置がヒト又はヒト以外の動物の身体の組織及び／又は脈管構造に挿入されるものである、請求項１乃至請求項６のいずれか１項記載の使用。
【請求項８】
前記造影剤が治療活性媒体でもある、請求項１乃至請求項７のいずれか１項記載の使用。
【請求項９】
治療活性媒体は侵襲型装置を介して特定領域に滴下注入される、請求項８記載の使用。
【請求項１０】
前記方法が、卵管を検査し、適宜手術する方法である、請求項１乃至請求項９のいずれか１項記載の使用。
【請求項１１】
前記方法が、腫瘍の診断及び適宜手術の方法である、請求項１乃至請求項９のいずれか１項記載の使用。
【請求項１２】
前記方法が、生検、好ましくは乳房又は前立腺の生検による診断の方法である、請求項１乃至請求項９のいずれか１項記載の使用。
【請求項１３】
前記方法が切除処置であって、該切除処置に有効な追加化合物が侵襲型装置を介して導入される、請求項１乃至請求項８のいずれか１項記載の使用。
【請求項１４】
侵襲型装置を身体に挿入するステップと、少なくとも該装置を含む身体部分のＭＲ画像を形成するステップと、視覚化手順の経時的過程で装置の内部及び適宜該装置を通して造影剤を導入するステップとを含む、ヒト又はヒト以外の動物の身体での侵襲型装置の視覚化を促進する方法であって、上記造影剤が、磁場強度０．００１〜５Ｔ及び温度２０〜４０℃で５秒以上のＴ１値を有するとともに19Ｆ、6Ｌｉ、13Ｃ、15Ｎ、29Ｓｉ、31Ｐ、77Ｓｅ、111Ｃｄ、113Ｃｄ、115Ｓｎ、117Ｓｎ、119Ｓｎ、123Ｔｅ、125Ｔｅ、171Ｙｂ、195Ｐｔ、199Ｈｇ、203Ｔｌ、205Ｔｌ及び207Ｐｂからなる群から選択される核を含んでなる高Ｔ１剤の過分極固体又は溶液を含んでなることを特徴とする方法。
【請求項１５】
磁場強度０．００１〜５Ｔ及び温度２０〜４０℃で５秒以上のＴ１値を有するとともに19Ｆ、6Ｌｉ、13Ｃ、15Ｎ、29Ｓｉ、31Ｐ、77Ｓｅ、111Ｃｄ、113Ｃｄ、115Ｓｎ、117Ｓｎ、119Ｓｎ、123Ｔｅ、125Ｔｅ、171Ｙｂ、195Ｐｔ、199Ｈｇ、203Ｔｌ、205Ｔｌ及び207Ｐｂからなる群から選択される核を含んでなる高Ｔ１剤の過分極固体又は溶液を含んでなる造影剤を含む侵襲型装置であって、炭素繊維を含有する材料で製造された中空の細長い本体を備える侵襲型装置。
【請求項１６】
中空の細長い本体が無線周波数放射線に対して不透過性であることを特徴とする請求項１５記載の侵襲型装置。
【請求項１７】
中空の細長い本体が炭素繊維複合材で製造されていることを特徴とする請求項１５記載の侵襲型装置。
【請求項１８】
磁場強度０．００１〜５Ｔ及び温度２０〜４０℃で５秒以上のＴ１値を有するとともに19Ｆ、6Ｌｉ、13Ｃ、15Ｎ、29Ｓｉ、31Ｐ、77Ｓｅ、111Ｃｄ、113Ｃｄ、115Ｓｎ、117Ｓｎ、119Ｓｎ、123Ｔｅ、125Ｔｅ、171Ｙｂ、195Ｐｔ、199Ｈｇ、203Ｔｌ、205Ｔｌ及び207Ｐｂからなる群から選択される核を含んでなる高Ｔ１剤の過分極固体又は溶液を含んでなる造影剤を含む侵襲型装置であって、第一の端部と第二の端部を有する中空の細長い本体と、第一の端部から第二の端部まで延在する第一の管腔と、第一の端部から第二の端部まで延在する第二の管腔とを備えており、第一の管腔が第二の端部の近くで第二の管腔と連通していることを特徴とする侵襲型装置。
【請求項１９】
３以上の管腔を含むことを特徴とする請求項１８記載の侵襲型装置。
【請求項２０】
中空の細長い本体が無線周波数放射線に対して不透過性であることを特徴とする請求項１８又は請求項１９記載の侵襲型装置。
【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
移植可能医療装置から成るシステムであって、前記移植可能医療装置が、
治療回路と、
前記移植可能医療装置からの情報を外部の患者管理システムに通信する通信回路と、
生理学的検知回路と、
移植後に起動される第１のモードと、
前記第１モード中にオンされているとき、生理学的事象を検知した前記生理学的検知回路によって起動される第２のモードと、から成り、
前記第１モードでは、前記生理学的検知回路の少なくとも一部に対する電力が、省電力デューティサイクルで連続的にオンとオフを繰り返へされ、前記生理学的検知回路及び前記通信回路の電力はオフされており、
前記第２モードは、検知と無関係に前記治療回路を永久的に起動することによって前記第１モードを解除するとともに、少なくとも一時的に前記通信回路を起動する、
ことを特徴とするシステム。
【請求項２】
前記第２モードは、前記移植可能医療装置から前記外部患者管理システムへの情報通信を始動する、請求項１に記載のシステム。
【請求項３】
前記第２モードは、前記通信回路に永久的に電力供給する、請求項１に記載のシステム。
【請求項４】
治療介入を必要とする心臓血管事象を含む生理学的事象を検知したとき、前記第２モードの起動により、前記移植可能医療装置が、監視モードから介入・通信モードに切り替わる、請求項１に記載のシステム。
【請求項５】
前記治療回路は、電気刺激制御回路を含む、請求項１に記載のシステム。
【請求項６】
前記治療回路は、化学治療剤配給制御回路を含む、請求項１に記載のシステム。
【請求項７】
前記第２モードは、前記生理学的検知回路が前記生理学的事象を検知したときに起動され、前記生理学的事象は頻拍性不整脈である、請求項１に記載のシステム。
【請求項８】
前記第２モードは、前記生理学的検知回路が前記生理学的事象を検知したときに起動され、前記生理学的事象は徐脈型不整脈である、請求項１に記載のシステム。
【請求項９】
前記第２モードは、前記生理学的検知回路が前記生理学的事象を検知したときに起動され、前記生理学的事象は原線維性事象である、請求項１に記載のシステム。
【手続補正書】
【提出日】平成18年11月17日(2006.11.17)
【手続補正１】
【補正対象書類名】特許請求の範囲
【補正対象項目名】請求項２
【補正方法】変更
【補正の内容】
【請求項２】
更に、該ワイヤガイドは、少なくとも該第１部分と該締切部材の一部を覆うカバーを有することを特徴とする請求項１に記載のワイヤガイド。
【手続補正２】
【補正対象書類名】明細書
【補正対象項目名】０００１
【補正方法】変更
【補正の内容】
【０００１】
本出願は、２００２年１２月２日に３５ＵＳＣ１１９条に基づき出願された米国仮特許出願番号第６０／４３０４６６号の出願日の利益を主張し、その全体を参照することによって本明細書の一部とする。
【手続補正３】
【補正対象書類名】明細書
【補正対象項目名】００１１
【補正方法】変更
【補正の内容】
【００１１】
細長部材１２は、ループ２２を形作る。現在の好適な実施形態では、ループ２２は、細長部材１２自体を折り返した部分を備える。図１と図２で示しているように、第２部分１８は、ループ２２全体を形作るのが好ましい。代わりに図３で示しているように、第２部分１８は、ループ２２の一部だけを形作ることもできる。本実施例では、中間部分２１は、ループ２２の少なくとも一部を形作るのが好ましい。
【手続補正４】
【補正対象書類名】明細書
【補正対象項目名】００１４
【補正方法】変更
【補正の内容】
【００１４】
ループ２２を形成するためのあらゆる方法が想定される。好適な実施形態の１つでは、締切部材２４で、ループ２２の内側の空間に開口がないようにループ２２を閉じる。図１−７で示しているように、締切部材２４は、先端２６を細長部材１２の別の部分付近に位置付けるのが好ましい。適当な締切部材であればなんでもよく、それらは接合材、粘着剤及び独立した部材を含む。適当な締切部材の例としては、２つのセクションを繋ぐ縫合糸や２つの部分を繋ぐ適切な材料、接着剤、接合部及び他の接合部（はんだ接合部、溶接接合部や成形接合部など）並びにコネクタ（リベットなど）を含む。図１−７で最もよく示しているように、締切部材２４は、内側ルーメンを形作るカニューレであるのが好ましい。細長部材の２つの部分がカニューレ内に位置決めされ、ループ２２を形成する。図７で示すように、カニューレは、先端２６とループ端２８を覆って延びているのが好ましい。締切部材２４は、圧着などによって締め付け、ループ全体の大きさを整えるのが好ましい。
【手続補正５】
【補正対象書類名】明細書
【補正対象項目名】００１５
【補正方法】変更
【補正の内容】
【００１５】
図８で示す別の好適な実施形態では、締切部材は、一体成形された接合材２５である。ワイヤガイド１０のループ２２は、細長部材の２つの部分を一緒に成形することによって形作られる。図９で示される別の好適な実施形態では、締切部材は、はんだ付け又は溶接接合２７を備える。細長部材の２つの部分が、溶接又ははんだ付けされ、ループ２２を形成する。図１０−１２で示す別の好適な実施形態では、締切部材は、コイル２９を備える。ワイヤガイド１０のループ２２は、コイル状のワイヤから形成される。より詳細には、細長部材の２つの部分が相互に巻きついている。先端２６は、外形が小さくなるように巻きついているのが好ましい。図１０で示すように、コイル２９は、先端２６を中間部分２１付近に位置付ける。代わりに図１１で示すように、コイル２９を細長部材の長さ方向に沿って伸ばしてもよい。図１２で示すように、第１部分の直径は、第２部分の直径とほぼ等しいものとすることができる。別の好適な実施形態では、当業者に知られているレーザーカッティング技術を使用してワイヤガイド１０のループ２２と細長部材１２を形成することもできる。
【手続補正６】
【補正対象書類名】明細書
【補正対象項目名】００１８
【補正方法】変更
【補正の内容】
【００１８】
細長部材とループは、様々な形状と大きさを採ることができ、その両方について特定の用途に基づいて最適化することができる。細長部材１２とループ２２の寸法は、ワイヤガイドを使用する目的、ワイヤガイドが置かれる管腔など様々な要因に左右される。総胆管にカニューレを挿入するためのワイヤガイドの適切な寸法は、第１直径１６が約０．０１６インチ（約０．４０６ミリ）と約０．０３８インチ（約０．９６５ミリ）の間を含み、直径が約０．０３５インチ（約０．８８９ミリ）が好ましい。ワイヤガイドの第２直径２０は、約０．００３インチ（約０．０７６ミリ）と約０．０１０インチ（約０．２５４ミリ）の間であるのがよく、直径が約０．００６インチ（約０．１５２ミリ）が好ましい。このワイヤガイドの中間部分は、第１直径１６と第２直径２０の間がテーパーとなっている。テーパーは、第２直径２０とほぼ同じ大きいか、より小さいのがよい。中間部分は、約０．００６インチ（約０．１５２ミリ）から約０．０１６インチ（約０．４０６ミリ）にかけてテーパーを形作っているのが好ましい。このようなワイヤガイドでは、ループは、約４ミリと約５ミリの間の長さで約２ミリと約３ミリの間の幅を有する卵型が好ましい。
【手続補正７】
【補正対象書類名】明細書
【補正対象項目名】００１９
【補正方法】変更
【補正の内容】
【００１９】
図４は、本発明の第４の実施形態に基づくワイヤガイド１０を描いたものである。この実施形態では、カバー３０が、締切部材２４を覆っている。カバー３０は、ポリテトラフルオロエチレンか他の適当な材料である。適当なカバーの例として、フルオロポリマー、ポリウレタン、及び医療器具で使用される他の適当な被膜を含む。また、カバー３０は、締切部材２４と少なくとも第１部分１４の一部を覆うのが好ましい。カバーは、締切部材２４と細長部材１２の間の第１移行部３２と第２移行部３４を覆うのが特に好ましい。このカバー３０の位置によって、移行部３２、３４の表面が滑らかになる。
【手続補正書】
【提出日】平成18年11月15日(2006.11.15)
【手続補正１】
【補正対象書類名】特許請求の範囲
【補正対象項目名】全文
【補正方法】変更
【補正の内容】
【特許請求の範囲】
【請求項１】
生物学的溶液から完全にチオエート化された一重鎖アンチセンスオリゴヌクレオチドを単離する方法であって、生物学的溶液を固定化金属イオン吸着クロマトグラフィ（ＩＭＡＣ）樹脂に接触させてアンチセンスオリゴヌクレオチドを樹脂に吸着させ、その後、樹脂からのアンチセンスオリゴヌクレオチドの脱着が起こる条件下で樹脂を溶出液に接触させ、溶液中の不正確にチオエート化されたアンチセンスオリゴヌクレオチドから完全チオエート化アンチセンスオリゴヌクレオチドを分離する、方法。
【請求項２】
前記生物学的溶液がアンチセンスオリゴヌクレオチド合成で得られたものである、請求項１記載の方法。
【請求項３】
不正確に合成されたオリゴヌクレオチドから完全チオエート化アンチセンスオリゴヌクレオチドを分離する、請求項１又は請求項２記載の方法。
【請求項４】
１〜５個（例えば１〜２個）の未チオエート化結合を有する不正確にチオエート化されたアンチセンスオリゴヌクレオチドから完全チオエート化アンチセンスオリゴヌクレオチドを分離する、請求項１乃至請求項３のいずれか１項記載の方法。
【請求項５】
前記金属イオンがＺｒ2+又はＦｅ3+である、請求項１乃至請求項４のいずれか１項記載の方法。
【請求項６】
前記アンチセンスオリゴヌクレオチドが、５〜３０塩基対、好ましくは１５〜２５塩基対の大きさである、請求項１乃至請求項５のいずれか１項記載の方法。
【請求項７】
アンチセンスオリゴヌクレオチドの吸着時に生物学的溶液のｐＨが約７以下である、請求項１乃至請求項６のいずれか１項記載の方法。
【請求項８】
単離したアンチセンスオリゴヌクレオチドをさらに精製する追加段階を含む、請求項１乃至請求項７のいずれか１項記載の方法。
【請求項９】
生物学的溶液中の不正確にチオエート化されたアンチセンスオリゴヌクレオチドから完全チオエート化一重鎖アンチセンスオリゴヌクレオチドを単離するための固定化金属イオン吸着クロマトグラフィ（ＩＭＡＣ）樹脂の使用。
【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
トランスジェニック哺乳動物の乳中で抗体を製造する方法であって、
体細胞および生殖細胞が、哺乳類上皮細胞で発現を導くプロモーターに作動可能に連結している外因性重鎖可変領域またはその抗原結合断片、少なくとも一つの重鎖定常領域またはその断片およびヒンジ領域をコードする配列を含む、トランスジェニック哺乳動物を提供する工程を含み、前記ヒンジ領域が、重鎖定常領域に通常連結しているヒンジ領域から改変されていることを特徴とする方法。